【手続補正書】
【提出日】平成18年8月22日(2006.8.22)
【手続補正１】
【補正対象書類名】明細書
【補正対象項目名】発明の名称
【補正方法】変更
【補正の内容】
【発明の名称】コンピュータとその周辺機器のシステム、コンピュータ周辺機器、コンピュータ及びその制御方法並びにコンピュータ可読記憶媒体
【手続補正２】
【補正対象書類名】明細書
【補正対象項目名】特許請求の範囲
【補正方法】変更
【補正の内容】
【特許請求の範囲】
【請求項１】
ホストとなるコンピュータと、
前記コンピュータと接続可能であり、予め定められた条件下で自らの稼働状態を低消費電力状態に移行する制御手段を備えた周辺機器と、
前記コンピュータと前記周辺機器とを接続する接続手段
とで構成され、
前記周辺機器が、前記低消費電力状態への移行に先立ち、予め定められたメッセージを前記接続手段により前記コンピュータに送信する送信手段を備え、
前記コンピュータが、前記メッセージを受信する受信手段と、前記メッセージに応じた内容をユーザに通知する通知手段とを備える
ことを特徴とするコンピュータとその周辺機器のシステム。
【請求項２】
前記条件が成立した場合、前記周辺機器は前記メッセージの送信後に前記接続手段での切断を示す信号を前記コンピュータに送信し、その後前記低消費電力状態に移行する事を特徴とする請求項１に記載のコンピュータとその周辺機器のシステム。
【請求項３】
前記コンピュータは、
前記周辺機器の接続時に起動状態で、前記周辺機器と直接データを交換する通信手段と、
必要に応じて起動され、前記通信手段を介して前記周辺機器とデータを交換するサービス手段と、
前記サービス手段の状態を検出するサービス検出手段
とを備え、
前記周辺機器から前記メッセージを受信した時、前記サービス検出手段により前記サービス手段の起動が検出された場合は前記メッセージの内容を前記サービス手段によりユーザに通知させ、前記サービス手段の起動が検出されなかった場合は前記メッセージの内容を前記通信手段によりユーザに通知させる事を特徴とする請求項１に記載のコンピュータとその周辺機器のシステム。
【請求項４】
前記サービス検出手段は、全ての前記サービス手段がアクセス可能なリソース領域に格納される各サービス手段の起動情報を参照し、各サービス手段の起動状態を検出する事を特徴とする請求項３に記載のコンピュータとその周辺機器のシステム。
【請求項５】
前記サービス検出手段は、前記通信手段が全ての前記サービス手段とのメッセージ交換により、前記通信手段のみがアクセス可能なリソース領域に格納した前記各サービス手段の起動情報を参照し、各サービス手段の起動状態を検出する事を特徴とする請求項３に記載のコンピュータとその周辺機器のシステム。
【請求項６】
ホストとなるコンピュータと接続可能な接続手段と、
予め定められた条件下で自らの稼働状態を低消費電力状態に移行する制御手段と、
前記条件が成立した場合、前記低消費電力状態への移行に先立ち、予め定められたメッセージを前記接続手段により前記コンピュータに送信する送信手段とを備え、
前記メッセージの送信後に前記接続手段での切断を示す信号を前記コンピュータに送信し、その後前記低消費電力状態に移行する事を特徴とするコンピュータ周辺機器。
【請求項７】
更に電源としての電池を備える事を特徴とする請求項６に記載のコンピュータ周辺機器。
【請求項８】
周辺機器のホストとなるコンピュータであって、
前記周辺機器と接続可能な接続手段と、
前記周辺機器の接続時に起動状態で、前記周辺機器と直接データを交換する通信手段と、
必要に応じて起動され、前記通信手段を介して前記周辺機器とデータを交換するサービス手段と、
前記サービス手段の状態を検出するサービス検出手段
とを備え、
前記周辺機器から前記メッセージを受信した時、前記サービス検出手段により前記サービス手段の起動が検出された場合は前記メッセージの内容を前記サービス手段によりユーザに通知させ、前記サービス手段の起動が検出されなかった場合は前記メッセージの内容を前記通信手段によりユーザに通知させる事を特徴とするコンピュータ。
【請求項９】
前記サービス検出手段は、全ての前記サービス手段がアクセス可能なリソース領域に格納される各サービス手段の起動情報を参照し、各サービス手段の起動状態を検出する事を特徴とする請求項８に記載のコンピュータ。
【請求項１０】
前記サービス検出手段は、前記通信手段が全ての前記サービス手段とのメッセージ交換により、前記通信手段のみがアクセス可能なリソース領域に格納した前記各サービス手段の起動情報を参照し、各サービス手段の起動状態を検出する事を特徴とする請求項８に記載のコンピュータ。
【請求項１１】
ホストとなるコンピュータと接続手段により接続可能であり、予め定められた条件下で自らの稼働状態を低消費電力状態に移行するコンピュータ周辺機器の制御方法であって、
前記条件が成立した場合、前記低消費電力状態への移行に先立ち、予め定められたメッセージを前記接続手段により前記コンピュータに送信する送信工程と、
前記メッセージの送信後に前記接続手段での切断を示す信号を前記コンピュータに送信し、その後前記低消費電力状態に移行する制御工程
とを備える事を特徴とするコンピュータ周辺機器の制御方法。
【請求項１２】
ホストとして周辺機器と接続可能なコンピュータの制御方法であって、
前記周辺機器の接続時に起動状態で、前記周辺機器と直接データを交換する通信工程と、
必要に応じて起動され、前記通信工程を介して前記周辺機器とデータを交換するサービス工程と、
前記サービス工程の状態を検出するサービス検出工程
とを備え、
前記周辺機器から前記メッセージを受信した時、前記サービス検出工程により前記サービス工程の起動が検出された場合は前記メッセージの内容を前記サービス工程によりユーザに通知させ、前記サービス工程の起動が検出されなかった場合は前記メッセージの内容を前記通信工程によりユーザに通知させる事を特徴とするコンピュータの制御方法。
【請求項１３】
前記サービス検出工程は、全ての前記サービス工程がアクセス可能なリソース領域に格納される各サービス工程の起動情報を参照し、各サービス工程の起動状態を検出する事を特徴とする請求項１２に記載のコンピュータの制御方法。
【請求項１４】
前記サービス検出工程は、前記通信工程が全ての前記サービス工程とのメッセージ交換により、前記通信工程のみがアクセス可能なリソース領域に格納した前記各サービス工程の起動情報を参照し、各サービス工程の起動状態を検出する事を特徴とする請求項１２に記載のコンピュータの制御方法。
【請求項１５】
コンピュータが読み込み実行することで、請求項１１に記載の各工程を実行させるコンピュータプログラムを格納したことを特徴とするコンピュータ可読記憶媒体。
【請求項１６】
コンピュータが読み込み実行することで、請求項１２乃至１４のいずれか１項に記載の各工程を実行させるコンピュータプログラムを格納したことを特徴とするコンピュータ可読記憶媒体。
【手続補正３】
【補正対象書類名】明細書
【補正対象項目名】０００１
【補正方法】変更
【補正の内容】
【０００１】
【発明の属する技術分野】
本発明は、コンピュータとその周辺機器のシステム、コンピュータ周辺機器、コンピュータ及びその制御方法並びにコンピュータ可読記憶媒体に関し、より具体的には、低消費電力状態を有し、ホストとの通信接続を自在に管理できるコンピュータ周辺機器を有するコンピュータとその周辺機器のシステム、コンピュータ周辺機器、コンピュータ及びその制御方法並びにコンピュータ可読記憶媒体に関する。
【手続補正４】
【補正対象書類名】明細書
【補正対象項目名】０００９
【補正方法】変更
【補正の内容】
【０００９】
本発明は、このような不都合を解消するコンピュータとその周辺機器のシステム、コンピュータ周辺機器、コンピュータ及びその制御方法並びにコンピュータ可読記憶媒体を提示することを目的とする。
【手続補正５】
【補正対象書類名】明細書
【補正対象項目名】００１０
【補正方法】変更
【補正の内容】
【００１０】
【課題を解決するための手段】
本発明に係るコンピュータとその周辺機器のシステムは、ホストとなるコンピュータと、前記コンピュータと接続可能であり、予め定められた条件下で自らの稼働状態を低消費電力状態に移行する制御手段を備えた周辺機器と、前記コンピュータと前記周辺機器とを接続する接続手段とで構成され、前記周辺機器が、前記低消費電力状態への移行に先立ち、予め定められたメッセージを前記接続手段により前記コンピュータに送信する送信手段を備え、前記コンピュータが、前記メッセージを受信する受信手段と、前記メッセージに応じた内容をユーザに通知する通知手段とを備えることを特徴とする。
【手続補正６】
【補正対象書類名】明細書
【補正対象項目名】００１１
【補正方法】変更
【補正の内容】
【００１１】
本発明に係るコンピュータ周辺機器は、ホストとなるコンピュータと接続可能な接続手段と、予め定められた条件下で自らの稼働状態を低消費電力状態に移行する制御手段と、前記条件が成立した場合、前記低消費電力状態への移行に先立ち、予め定められたメッセージを前記接続手段により前記コンピュータに送信する送信手段とを備え、前記メッセージの送信後に前記接続手段での切断を示す信号を前記コンピュータに送信し、その後前記低消費電力状態に移行する事を特徴とする。
【手続補正７】
【補正対象書類名】明細書
【補正対象項目名】００１２
【補正方法】変更
【補正の内容】
【００１２】
本発明に係るコンピュータは、周辺機器のホストとなるコンピュータであって、前記周辺機器と接続可能な接続手段と、前記周辺機器の接続時に起動状態で、前記周辺機器と直接データを交換する通信手段と、必要に応じて起動され、前記通信手段を介して前記周辺機器とデータを交換するサービス手段と、前記サービス手段の状態を検出するサービス検出手段とを備え、前記周辺機器から前記メッセージを受信した時、前記サービス検出手段により前記サービス手段の起動が検出された場合は前記メッセージの内容を前記サービス手段によりユーザに通知させ、前記サービス手段の起動が検出されなかった場合は前記メッセージの内容を前記通信手段によりユーザに通知させる事を特徴とする。
【手続補正８】
【補正対象書類名】明細書
【補正対象項目名】００１３
【補正方法】変更
【補正の内容】
【００１３】
本発明に係る制御方法は、ホストとなるコンピュータと接続手段により接続可能であり、予め定められた条件下で自らの稼働状態を低消費電力状態に移行するコンピュータ周辺機器の制御方法であって、前記条件が成立した場合、前記低消費電力状態への移行に先立ち、予め定められたメッセージを前記接続手段により前記コンピュータに送信する送信工程と、前記メッセージの送信後に前記接続手段での切断を示す信号を前記コンピュータに送信し、その後前記低消費電力状態に移行する制御工程とを備える事を特徴とする。
【手続補正９】
【補正対象書類名】明細書
【補正対象項目名】００１４
【補正方法】変更
【補正の内容】
【００１４】
本発明に係る制御方法はまた、ホストとして周辺機器と接続可能なコンピュータの制御方法であって、前記周辺機器の接続時に起動状態で、前記周辺機器と直接データを交換する通信工程と、必要に応じて起動され、前記通信工程を介して前記周辺機器とデータを交換するサービス工程と、前記サービス工程の状態を検出するサービス検出工程とを備え、前記周辺機器から前記メッセージを受信した時、前記サービス検出工程により前記サービス工程の起動が検出された場合は前記メッセージの内容を前記サービス工程によりユーザに通知させ、前記サービス工程の起動が検出されなかった場合は前記メッセージの内容を前記通信工程によりユーザに通知させる事を特徴とする。
【手続補正１０】
【補正対象書類名】明細書
【補正対象項目名】００１５
【補正方法】変更
【補正の内容】
【００１５】
本発明に係るコンピュータ読取記憶媒体には、コンピュータが読み込み実行することで、上記方法の各工程を実行させるコンピュータプログラムを格納したことを特徴とする。
【手続補正１１】
【補正対象書類名】明細書
【補正対象項目名】００２５
【補正方法】変更
【補正の内容】
【００２５】
ポート制御回路６２は、バッファ７２の出力及び操作キー７２のキー操作を読み取り、その読取り結果又はＣＰＵ５０からの指示に従い、プルアップ抵抗７８への電圧印加を制御する。プルアップ抵抗７８への印加電圧を３．３Ｖにすることで、Ｄ＋線に対してプルアップし、印加電圧を０ＶまたはＨｉＺにすることで、Ｄ＋線に対してプルダウンまたは開放にすることができる。これにより、周辺機器４０が通信の準備が整っている状態にあるときにプルアップ抵抗７８をプルアップしておくことで、ホストＰＣ１０にＵ周辺機器４０がＵＳＢケーブル３０で接続されていると認識させることができる。逆に、通信の準備が整っていない場合には、プルアップ抵抗７８をプルダウンまたは開放にすることで、ホストＰＣ１０に周辺機器４０が接続されていないと認識させることができ、ホストＰＣ１０は、周辺機器４０に対するアドレス設定などの通信を開始しない。周辺機器４０で通信の準備が出来た時点で、プルアップ抵抗７８をプルアップすれば、ホストＰＣ１０は、周辺機器４０が接続されたと認識する。
【手続補正１２】
【補正対象書類名】明細書
【補正対象項目名】００２８
【補正方法】変更
【補正の内容】
【００２８】
周辺機器４０がホストＰＣ１０に接続されている場合（Ｓ１）、節電モードに入ることを通知するメッセージをホストＰＣ１０に向け発行し（Ｓ３）、そのメッセージがＵＳＢバス上に送信されるのを待って（Ｓ４）、Ｄ＋線のプルダウンを行い（Ｓ５）、周辺機器４０の電源をシャットダウンする（Ｓ２）。